(57)【要約】【課題】リード線が貫通する貫通孔を電気器具に対する装着方向と異なる方向に沿って一体的に形成することにより、電気器具が用いられる装置の長尺化の抑制、及び部品点数の増加を防止する。【解決手段】  ケース１の開口１Ａを密閉する防水パッキン４の一部に、リード線が貫通する貫通孔４２を有する凸部４１を一体的に形成した。リード線は、ケース１の外部から防水パッキン４の内側面４Ａの法線方向に直交する方向に沿ってケース１内に挿入され、ケース１の開口１Ａから法線方向に延出することがない。【選択図】図４
2015146372.tif 000002
【特許請求の範囲】
【請求項１】
互いに平行な外側面及び内側面を有する平板状を呈し、電気器具の開口の縁面に前記内側面をその法線方向に当接させて取り付けられる電気器具用防水パッキンであって、
前記内側面の一部から延出する凸部であって、前記法線方向と異なる方向に沿ってリード線が貫通する貫通孔を有する凸部を一体的に形成した電気器具用防水パッキン。
【請求項２】
前記凸部は、前記外側面及び前記内側面に直交する露出面を有し、
前記貫通孔は、前記露出面から前記内側面に平行に貫通孔を形成した請求項１に記載の電気器具用防水パッキン。
【請求項３】
前記凸部は、前記内側面から離れるに従って幅を狭くした形状を呈する請求項１又は２に記載の電気器具用防水パッキン。
【請求項４】
請求項１乃至３の何れかに記載の電気器具用防水パッキンと、
長手方向の端部に開口を有する筒状体であるケースと、
ＬＥＤを実装し、前記開口から前記ケースの内部に収納される基板と、
前記開口から前記ケースの内部に収納され、外部電源を前記ＬＥＤに供給する電源ユニットと、
前記電気器具用防水パッキンの外側面に当接する状態で前記開口を閉鎖する蓋体と、を備え、
前記ケースは、前記開口の周縁の一部に開放する凹部であって、前記凸部が嵌入する凹部を有する直管形ＬＥＤランプ。
【発明の詳細な説明】
【技術分野】
【０００１】
この発明は、複数のＬＥＤを直線上に配置した直管形ＬＥＤランプ等の電気器具に用いられる電気器具用防水パッキン、及びこれを用いた直管形ＬＥＤランプに関する。
【背景技術】
【０００２】
門柱灯や玄関灯のように屋外に設置される照明装置には、光源として直管形ランプを用いたものがある。近年、直管形ランプとして、省電力化及び長寿妙化の要請に応えるべく、複数のＬＥＤを直線上に配置した直管形ＬＥＤランプが商品化されている（例えば、特許文献１参照。）。
【０００３】
直管形ＬＥＤランプは、複数のＬＥＤを直線上に実装したプリント基板とプリント基板上のＬＥＤに電源を供給する電源ユニットとを、両端が開放した透光性を有する樹脂製の筒状を呈するケース内に収納している。ケースの両端にパッキンを介して金属製の蓋体を固定することにより、屋外に設置される照明装置に用いる際の防水性が確保される。
【０００４】
直管形ＬＥＤランプは、電源ユニットを光源であるＬＥＤとともにケース内に収納しており、電源ユニットへの給電線（リード線）をケース外部からケース内部に引き込む必要がある。
【０００５】
従来の直管形ＬＥＤランプでは、パッキンの一部にケースの長手方向の貫通孔を有する凸部を一体的に形成し、この凸部を蓋体に形成した開口から外部に露出させ、貫通孔を経由してリード線をケース内に挿入させるものがある。
【先行技術文献】
【特許文献】
【０００６】
【特許文献１】特開２０１３−２３５７７０号公報
【発明の概要】
【発明が解決しようとする課題】
【０００７】
しかし、従来の直管形ＬＥＤランプでは、ケースにおける長手方向の端部からケースの長手方向に沿ってリード線が挿入されることになる。このため、直管形ＬＥＤランプを備えた照明装置が長尺化する問題がある。また、ケースの長手方向に直交する方向に沿ってリード線をケース内に挿入するためには、ケースの背面に開口を設け、この開口に嵌合する貫通孔を有するパッキンと、パッキンを固定するための蓋体と、を別途備える必要があり、部品点数の増加による組立作業の煩雑化、コストの上昇を招く。これらの問題は、直管形ＬＥＤランプだけでなく、ケース内に防水性を維持しつつリード線を挿入する他の電気機器においても同様に生じる。
【０００８】
この発明の目的は、リード線が貫通する貫通孔を電気器具に対する装着方向と異なる方向に沿って一体的に形成することにより、電気器具が用いられる装置の長尺化の抑制、及び部品点数の増加を防止できる電気器具用防水パッキン、並びにこの電気器具用防水パッキンを備えた直管形ＬＥＤランプを提供することにある。
【課題を解決するための手段】
【０００９】
この発明の電気器具用防水パッキンは、互いに平行な外側面及び内側面を有する平板状を呈し、電気器具の開口の周縁部に内側面をその法線方向に当接させて取り付けられる。内側面の一部には、法線方向と異なる方向に沿ってリード線が貫通する貫通孔を有する凸部が一体的に形成されている。
【００１０】
電気器具の開口の周縁部に凸部が嵌入する凹部を形成し、電気器具の開口の周縁部に内側面をその法線方向に当接させて電気器具用防水パッキンを取り付けると、リード線が貫通する貫通孔が法線方向と異なる方向に沿って配置される。
【００１１】
この構成において、外側面及び内側面に直交する端面に連続した露出面を凸部に設け、この露出面から内側面に平行に貫通孔を形成することが好ましい。リード線を電気器具の開口面と平行な方向に沿って電気器具の内部に挿入することができる。
【００１２】
また、凸部は、内側面から離れるに従って幅を狭くした形状を呈することが好ましい。凸部を電気器具の凹部に嵌入させる際に凹部の内周面から凸部の外周面に作用する圧力によって貫通孔が小径化され、リード線が貫通孔の内周面から圧縮されて電気機器内部の密閉性が向上する。
【００１３】
この発明の直管形ＬＥＤランプは、ケース、基板、電源ユニット、蓋体とともに、この発明の電気器具用防水パッキンを備えている。ケースは、長手方向の端部に開口を有する筒状体である。基板は、ＬＥＤを実装し、開口からケースの内部に収納される。電源ユニットは、開口からケースの内部に収納され、外部電源をＬＥＤに供給する。蓋体は、電気器具用防水パッキンの外側面に当接する状態でケースの開口を閉鎖する。ケースの開口の周縁の一部には、凸部が嵌入する凹部が形成されている。
【００１４】
電気器具用防水パッキンをその内側面が法線方向に沿ってケースの開口の周縁部に当接させ、蓋体を電気器具用防水パッキンの外側から開口に取り付けると、凹部に凸部が法線方向に沿って嵌入し、リード線が貫通する貫通孔が法線方向と異なる方向に配置される。
【００１５】
この構成において、凹部の周縁部が嵌合する溝部を凸部に形成することが好ましい。凹部と凸部との間の密閉性を向上させることができる。
【発明の効果】
【００１６】
この発明によれば、リード線が貫通する貫通孔を電気器具用防水パッキンの電気器具に対する装着方向と異なる方向に沿って配置することができ、直管形ＬＥＤランプ等の電気器具が用いられる装置の長尺化の抑制、及び部品点数の増加を防止できる。
【図面の簡単な説明】
【００１７】
【図１】本発明の実施形態に係る電気器具用防水パッキンの使用状態を説明する組立図である。
【図２】本発明の実施形態に係る直管形ＬＥＤランプを備える照明装置の組立図である。
【図３】同直管形ＬＥＤランプの要部の組立図である。
【図４】同直管形ＬＥＤランプの要部の断面図である。
【図５】（Ａ）及び（Ｂ）は、同直管形ＬＥＤランプのにおける貫通孔の圧縮状態を説明する図である。
【発明を実施するための形態】
【００１８】
以下に、この発明の実施形態に係る電気器具用防水パッキン及び直管形ＬＥＤランプについて図面を参照しつつ説明する。
【００１９】
図１に示すように、本発明の実施形態に係る電気器具用防水パッキン（以下、「防水パッキン」という。）２１０が適用される電気器具３００は、一例として矩形断面の筒状を呈するケース３１０及び蓋体３２０を備えている。ケース３１０は、端部に開口３１２を備え、外部からの給電を受けるべき電気機器を内部に収納している。開口３１２の縁面３１２Ａの４隅には、ネジ穴３１１が形成されている。
【００２０】
蓋体３２０は、平板状を呈し、開口３１２の縁面３１２Ａの外形と等しい形状にされており、４隅に孔部３２１を備えている。防水パッキン２１０は、ゴム等の薄板状の弾性体からなり、少なくとも開口３１２の縁面３１２Ａに対向する内側面２０１Ａ及び外側面２０１Ｂを有し、４隅に孔部２１１を備えている。
【００２１】
図示しないネジを孔部３２１及び２１１にこの順に貫通させた後、ネジ穴３１１に螺合させることにより、蓋体３２０が、縁面３１２Ａとの間に防水パッキン２１０を挟んだ状態で、開口３１２を閉鎖するようにケース３１０に取り付けられる。防水パッキン２１０の内側面２１０Ａが、その法線方向（矢印Ｎ方向）に沿って開口３１２の縁面３１２Ａに圧接し、開口３１２の縁面３１２Ａと蓋体３２０との間の密閉性を維持する。
【００２２】
防水パッキン２１０には、一方の端面２１０Ｃから内側面２１０側に延出した凸部２１２が一体的に形成されている。凸部２１２には、内側面２１０の法線方向に直交する矢印Ｍ方向に沿って２つの貫通孔２１３が、露出面２１２Ａから内側面２１２Ｂに貫通するように形成されている。貫通孔２１３には、ケース３１０内に収納された電気機器への給電等を行うリード線が貫通する。また、凸部２１２には、開放した３面に連続する溝部２１４が形成されている。
【００２３】
ケース３１０の一方の側面３１０Ａには、開口３１２の縁面３１２Ａに開放した凹部３１３が形成されている。内側面２１０Ａを開口３１２の縁面３１２Ａに当接させて防水パッキンを開口３１２に取り付けると、凸部２１２が内側面２１０の法線方向に沿って凹部３１３に嵌入する。このとき、凸部２１２の露出面２１２Ａがケース３１０の外部に露出する。また、凹部３１３の周縁部が凸部２１２の溝部２１４に嵌入する。凹部３１３におけるケース３１０の密閉性は、溝部２１４と凸部２１２との密着によって維持される。
【００２４】
ケース３１０に防水パッキン２１０及び蓋体３２０を取り付けた状態で、防水パッキン２１０の一部に形成された凸部２１２が、ケース３１０の開口３１２と異なる面に位置する。凸部２１２に形成された貫通孔２１３を経由して、リード線をケース３１０の外部から防水パッキン２１０の内側面２１０Ａの法線方向と異なる方向に沿ってケース３１０の内部に挿入することができる。
【００２５】
リード線は、開口３１２から蓋体３２０を経由して法線方向に延出することがないため、ケース３１０が長尺状を呈する場合に、ケース３１０の収納位置における長手方法の長さを伸張させることがない。また、ケース３１０の側面に形成した貫通孔にリード線を貫通させる場合のように、開口３１２を密閉するための防水パッキン２１０及び蓋体３２０とは別のパッキン及び蓋体を備える必要がなく、部品点数を削減できる。
【００２６】
なお、凸部２１２は、内側面２１０Ａからその法線方向に延出させることで露出面２１２Ａが内側面２１０Ａ及び外側面２１０Ｂに直交するように形成したが、これに限るものではない。
【００２７】
図２に示すように、本発明の実施形態に係る直管形ＬＥＤランプ１０は、照明装置１００に取り付けられる。照明装置１００は、一例として、略コの字型断面形状を呈する長尺体の本体１０１と、本体１０１の両端部を閉塞するカバー１０２と、本体１０１の内部に固定される２個のソケット１０３と、を備えている。本体１０１、カバー１０２、ソケット１０３は、何れも金属板のプレス加工により、又は押し出し成形品を所定の長さに切断することによって得られる。
【００２８】
本体１０１及びソケット１０３は、同一方向に開口する開口部１０１Ａ及び開口部１０３Ａを有している。ソケット１０３の開口部１０３Ａから内部に直管形ＬＥＤランプ１０を嵌入すると、ソケット１０３の弾性力によって直管形ＬＥＤランプ１０が本体１０１内に保持される。
【００２９】
直管形ＬＥＤランプ１０は、内部のＬＥＤの光を光の拡散性を有する湾曲面から外部に拡散光として照射する。湾曲面に対向する面から直管形ＬＥＤランプ１０をソケット１０３に嵌入させることにより、直管形ＬＥＤランプ１０から照射された拡散光が本体１０１の開口部１０１Ａから照明装置１０の外部に配光される。
【００３０】
図３に示すように、直管形ＬＥＤランプ１０は、ケース１、プリント基板２、取付板３、防水パッキン４、蓋体５を備えている。ケース１は、一例として透光性樹脂の押し出し材を所定の長さに切断して形成されており、両端が開放した筒状を呈している。プリント基板２は、長尺の帯状を呈し、複数のＬＥＤ２１を直線上に実装している。ケース１の内部には、側面に溝部１１，１２及び段部１３が形成されている。溝部１１，１２及び段部１３は、押し出し材を所定の長さに切断したケース１の全長にわたって形成されている。ケース１の一方の端部には、開口１Ａの縁部に開放した凹部１４が形成されている。
【００３１】
取付板３は、一例として金属平板のプレス加工によって長尺の帯状に形成されている。取付板３は、表面にプリント基板２を固定した状態で、ケース１の一方の端部からケース１内に収納され、段部１３上に載置される。取付板３の裏面には、プリント基板２に電源を供給するための図示しない電源ユニット（電気機器）を取り付けることができる。
【００３２】
防水パッキン４は、ゴム等の弾性体を素材として、外形がケース１の外形に一致する環状を呈し、ケース１の両端部に配置される。一方の防水パッキン４は、端面から内側面の法線方向に沿って突出した凸部４１を一体的に備えている。凸部４１には、リード線が貫通する貫通孔４２が形成されている。蓋体５は、一例としてケース１の断面形状に一致する形状にプレス加工された金属板であり、パッキン４を挟んでケース１の両端部に固定される。パッキン４及び蓋体５には、それぞれ４箇所に貫通孔４Ａ及び貫通孔５Ａが形成されている。
【００３３】
図４に示すように、ネジ６を蓋体５及びパッキン４の貫通孔４Ａ及び貫通孔５Ａをこの順に貫通させた後にケース１の溝部１１，１２内にねじ込むことにより、ケース１の両端部にパッキン４を挟んで蓋体５が固定される。このとき、凸部４１が凹部１４内に嵌入する。防水パッキン４は、開口１Ａと蓋体５との間、並びに凹部１４におけるケース１内の密閉性を維持する。
【００３４】
凸部２１２は、凹部１４に嵌入した状態で、露出面４１Ａをケース１の外部に露出している。貫通孔４２は、露出面４１Ａから内側面４１Ｂに貫通している。リード線は、ケース１の外部から貫通孔４２を経由してケース１の内部に挿入される。貫通孔４２は、ケース１の長手方向に直交する方向に配置されているため、リード線がケース１の端部からケース１の長手方向に延出することがない。このため、直管形ＬＥＤランプ１０の収納スペースが、直管形ＬＥＤランプ１０の長手方向に沿って伸張することがなく、照明装置１００を小型に形成できる。
【００３５】
また、貫通孔４２は防水パッキン４と一体の凸部４１に形成されているため、リード線の貫通部分の密閉性を維持するために、ケース１の開口１Ａを密閉する防水パッキン４とは別のパッキンを備える必要がない。
【００３６】
さらに、凸部４１の溝部４３に凹部１４の周縁部を嵌入させることにより、凹部１４における密閉性がより向上する。
【００３７】
図５（Ａ）及び（Ｂ）に示すように、凸部４１及び凹部１４を円弧状に形成することにより、蓋体５を介して凸部４１が凹部１４内に嵌入する際に、蓋体５から防水パッキン４作用する圧力Ｐ１、及び凹部１４の内周面から凸部４１の外周面に作用する圧力Ｐ２により、貫通孔４２が小径化され、貫通孔４２の内周面とリード線との間の密閉性を向上させることができる。この作用は、凸部４１及び凹部１４を例えば三角形形状又は台形形状等、内側面４Ａからの凸部４１の突出方向に沿って凸部４１の幅が徐々に狭くなる形状であれば、同様に得られる。
【符号の説明】
【００３８】
１，３１０−ケース
２−基板
３−取付板
４−防水パッキン
５，３２０−蓋体
１０−直管形ＬＥＤランプ（電気器具）
１４，３１３−凹部
２１−ＬＥＤ
４１，２１２−凸部
４２，２１３−貫通孔
１００−照明装置
【図１】
2015146372.tif 000003
【図２】
2015146372.tif 000004
【図３】
2015146372.tif 000005
【図４】
2015146372.tif 000006
【図５】
2015146372.tif 000007